(57)【要約】【課題】  デジタルミキサにおいて、操作子等の機能または表示器等の表示態様を迅速に設定する。【解決手段】  現在の音声信号に対する信号処理状態を規定するパラメータ群であるカレント・シーンデータと、現在の操作子の機能または表示器の表示態様を規定するパラメータ群であるカレント・スナップショットデータとをカレント領域１４ａに記憶し、所定のスナップショット・ストア操作を検出すると、カレント・スナップショットデータをスナップショットデータとしてスナップショット領域１２ｃに記憶する一方、所定のスナップショット・リコール操作を検出すると、該スナップショット領域１２ｃに記憶されているスナップショットデータを読み出し、該読み出されたスナップショットデータに基づいてカレント領域１４ａ内のカレント・スナップショットデータを更新する。【選択図】  図１
2005191793.tif 000002
【特許請求の範囲】
【請求項１】
現在の音声信号に対する信号処理状態を規定するパラメータ群であるカレント・シーンデータと、現在の操作子の機能または表示器の表示態様を規定するパラメータ群であるカレント・スナップショットデータとを第１の記憶領域に記憶する過程と、
所定のスナップショット・ストア操作を検出すると、前記カレント・スナップショットデータをスナップショットデータとして第２の記憶領域に記憶する過程と、
所定のスナップショット・リコール操作を検出すると、前記第２の記憶領域に記憶されているスナップショットデータを読み出し、該読み出されたスナップショットデータに基づいて前記第１の記憶領域における前記カレント・スナップショットデータを更新するカレント・スナップショットデータ・リコール過程と
を処理装置に実行させることを特徴とするミキサのパラメータ設定方法。
【請求項２】
所定のシーン・ストア操作を検出すると、前記カレント・シーンデータを、シーンデータとして第３の記憶領域に記憶する過程と、
所定のシーンリコール操作を検出すると、前記第３の記憶領域に記憶されているシーンデータを読み出し、該読み出されたシーンデータに基づいて前記第１の記憶領域における前記カレント・シーンデータを更新するカレント・シーンデータ更新過程と
をさらに有することを特徴とする請求項１記載のミキサのパラメータ設定方法。
【請求項３】
音声信号に対する信号処理状態を操作する信号操作子の操作を検出すると、該信号操作子の操作状態に基づいて前記カレント・シーンデータを更新する過程と、
前記信号操作子の機能を設定する機能設定操作子の操作を検出すると、該機能設定操作子の操作状態に基づいて前記カレント・スナップショットデータを更新する過程と、
前記カレント・スナップショットデータ・リコール過程が実行されると、更新後の前記カレント・スナップショットデータに基づいて、前記信号操作子の操作量を自動的に変化させる操作量変化過程と
をさらに有することを特徴とする請求項１記載のミキサのパラメータ設定方法。
【請求項４】
前記信号操作子は、一のチャンネルに対して設けられたフェーダおよびロータリーエンコーダを含み、
前記機能設定操作子は、前記フェーダおよびロータリーエンコーダの機能を選択する操作子を含む
ことを特徴とする請求項３記載のミキサのパラメータ設定方法。
【請求項５】
前記信号操作子は、割り当てられた一のチャンネルの周波数特性を設定する周波数特性設定操作子を含み、
前記機能設定操作子は、該周波数特性設定操作子に割り当てるチャンネルを選択するチャンネル選択操作子を含む
ことを特徴とする請求項３記載のミキサのパラメータ設定方法。
【請求項６】
前記カレント・スナップショットデータは、
音声信号レベルをメータに表示すべきチャンネルを指定するチャンネル指定データと、
これらメータのピークホールドを行うか否かを指定するデータと
を含むことを特徴とする請求項１記載のミキサのパラメータ設定方法。
【請求項７】
前記カレント・スナップショットデータは、
複数の発光素子から成りこれら発光素子のうちパラメータ量に対応するものを明点灯させる表示器において、該パラメータ量が所定の基本操作量に一致するときに該明点灯状態よりも高い輝度で対応する発光素子を点灯させるか否かを指定するパネル・アシスタンスデータと、
前記複数の発光素子のうち前記パラメータ量に対応しない発光素子を該明点灯状態よりも低い輝度で点灯させるか否かを指定するパネル・ブライトネスデータと、
前記ミキサに装備されたカラーディスプレイの色調整状態を指定する色調整データと
を含むことを特徴とする請求項１記載のミキサのパラメータ設定方法。
【請求項８】
前記カレント・シーンデータは、所定の音声信号に対して複数の周波数帯域毎にブーストまたは減衰量を指定するグラフィックイコライザの特性を含み、
前記複数の周波数帯域は複数のグループに分割され、
一の選択されたグループに属する周波数帯域のブーストまたは減衰量は複数の前記信号操作子から成る操作子群によって操作され、
前記カレント・スナップショットデータは、前記操作子群に対して割り当てるグループを指定するデータを含む
ことを特徴とする請求項３記載のミキサのパラメータ設定方法。
【請求項９】
請求項１ないし８の何れかに記載のミキサのパラメータ設定方法を処理装置に実行させることを特徴とするミキサ。
【請求項１０】
請求項１ないし８の何れかに記載のミキサのパラメータ設定方法を処理装置に実行させることを特徴とするプログラム。
【発明の詳細な説明】
【技術分野】
【０００１】
本発明は、デジタルミキサに用いて好適なミキサのパラメータ設定方法、ミキサおよびプログラムに関する。
【背景技術】
【０００２】
近年のデジタルミキサにおいては、フェーダやボリューム操作子等で設定されたパラメータ値、各種ボタンのオン／オフ状態、その他デジタルミキサの音声信号処理に係るパラメータを「シーンデータ」としてメモリにストアし、ストアしたシーンデータをワンタッチで再現する機能（シーンリコール機能）が設けられている。従って、例えば演劇やコンサート等の様々な舞台設定状態におけるミキシング状態を各々シーンデータとして記録しておくことにより、必要なミキシング状態を速やかに再現することができる（非特許文献１）。
【非特許文献１】「ＤＭ２０００取扱説明書」  ヤマハ株式会社，平成１４年２月  ｐ．１５７−１８１
【発明の開示】
【発明が解決しようとする課題】
【０００３】
ところで、上述した技術においては、シーンデータとして記憶されるパラメータは、音声信号に直接的に変化を与えるパラメータのみであって、例えば音声信号を直接的には変化させず、パネル上の各種操作子の機能または表示器の表示態様を規定するパラメータはシーンデータの中には含まれていなかった。すなわち、パネル上の各種機能または表示態様の設定は、必ず操作者のマニュアル操作によって実行されていた。
【０００４】
しかし、かかる技術では、操作者が各種操作子の機能または表示態様を迅速に設定することができず、頻繁に利用する機能または表示態様を利用する毎にマニュアル操作で対応する設定を行うことは煩雑であった。
この発明は上述した事情に鑑みてなされたものであり、操作子等の機能または表示器等の表示態様等を迅速に設定することができるミキサのパラメータ設定方法、ミキサおよびプログラムを提供することを目的としている。
【課題を解決するための手段】
【０００５】
上記課題を解決するため本発明にあっては、下記構成を具備することを特徴とする。なお、括弧内は例示である。
請求項１記載のミキサのパラメータ設定方法にあっては、現在の音声信号に対する信号処理状態を規定するパラメータ群であるカレント・シーンデータと、現在の操作子の機能または表示器の表示態様を規定するパラメータ群であるカレント・スナップショットデータとを第１の記憶領域（カレント領域１４ａ）に記憶する過程と、所定のスナップショット・ストア操作を検出すると、前記カレント・スナップショットデータをスナップショットデータとして第２の記憶領域（スナップショット領域１２ｃ）に記憶する過程と、所定のスナップショット・リコール操作を検出すると、前記第２の記憶領域に記憶されているスナップショットデータを読み出し、該読み出されたスナップショットデータに基づいて前記第１の記憶領域における前記カレント・スナップショットデータを更新するカレント・スナップショットデータ・リコール過程（ＳＰ１０）とを処理装置に実行させることを特徴とする。
さらに、請求項２記載の構成にあっては、請求項１記載のミキサのパラメータ設定方法において、所定のシーン・ストア操作を検出すると、前記カレント・シーンデータを、シーンデータとして第３の記憶領域（シーン領域１２ｂ）に記憶する過程と、所定のシーンリコール操作を検出すると、前記第３の記憶領域に記憶されているシーンデータを読み出し、該読み出されたシーンデータに基づいて前記第１の記憶領域における前記カレント・シーンデータを更新するカレント・シーンデータ更新過程とをさらに有することを特徴とする。
さらに、請求項３記載の構成にあっては、請求項１記載のミキサのパラメータ設定方法において、音声信号に対する信号処理状態を操作する信号操作子の操作を検出すると、該信号操作子の操作状態に基づいて前記カレント・シーンデータを更新する過程と、前記信号操作子の機能を設定する機能設定操作子の操作を検出すると、該機能設定操作子の操作状態に基づいて前記カレント・スナップショットデータを更新する過程と、前記カレント・スナップショットデータ・リコール過程が実行されると、更新後の前記カレント・スナップショットデータに基づいて、前記信号操作子の操作量を自動的に変化させる操作量変化過程とをさらに有することを特徴とする。
さらに、請求項４記載の構成にあっては、請求項３記載のミキサのパラメータ設定方法において、前記信号操作子は、一のチャンネルに対して設けられたフェーダ（５２４）およびロータリーエンコーダ（５１４）を含み、前記機能設定操作子は、前記フェーダ（５２４）およびロータリーエンコーダ（５１４）の機能を選択する操作子（１０２，１０５，１０７，１０８）を含むことを特徴とする。
さらに、請求項５記載の構成にあっては、請求項３記載のミキサのパラメータ設定方法において、前記信号操作子は、割り当てられた一のチャンネルの周波数特性を設定する周波数特性設定操作子（４３８）を含み、前記機能設定操作子は、該周波数特性設定操作子（４３８）に割り当てるチャンネルを選択するチャンネル選択操作子（３５４，３５６）を含むことを特徴とする。
さらに、請求項６記載の構成にあっては、請求項１記載のミキサのパラメータ設定方法において、前記カレント・スナップショットデータは、音声信号レベルをメータに表示すべきチャンネルを指定するチャンネル指定データ（割当ボタン７１３〜７１５のオン／オフ状態）と、これらメータのピークホールドを行うか否かを指定するデータ（ピークホールド・ボタン７１６のオン／オフ状態）とを含むことを特徴とする。
さらに、請求項７記載の構成にあっては、請求項１記載のミキサのパラメータ設定方法において、前記カレント・スナップショットデータは、複数の発光素子から成りこれら発光素子のうちパラメータ量に対応するものを明点灯させる表示器において、該パラメータ量が所定の基本操作量に一致するときに該明点灯状態よりも高い輝度で対応する発光素子を点灯させるか否かを指定するパネル・アシスタンスデータ（パネル・アシスタンス・ボタン９０４のオン／オフ状態）と、前記複数の発光素子のうち前記パラメータ量に対応しない発光素子を該明点灯状態よりも低い輝度で点灯させるか否かを指定するパネル・ブライトネスデータ（パネル・ブライトネス選択部９０６のオン／オフ状態）と、前記ミキサに装備されたカラーディスプレイの色調整（色テーブルの明るさ、バックライトの明るさ）状態を指定する色調整データとを含むことを特徴とする。
さらに、請求項８記載の構成にあっては、請求項３記載のミキサのパラメータ設定方法において、前記カレント・シーンデータは、所定の音声信号に対して複数の周波数帯域毎にブーストまたは減衰量を指定するグラフィックイコライザの特性を含み、前記複数の周波数帯域は複数のグループに分割され、一の選択されたグループに属する周波数帯域のブーストまたは減衰量は複数の前記信号操作子から成る操作子群（６００内のフェーダ）によって操作され、前記カレント・スナップショットデータは、前記操作子群（６３４）に対して割り当てるグループを指定するデータ（グループ選択ボタン９５４〜９６０のオン／オフ状態）を含むことを特徴とする。
また、請求項９記載のミキサにあっては、請求項１ないし８の何れかに記載のミキサのパラメータ設定方法を処理装置に実行させることを特徴とする。
また、請求項１０記載のプログラムにあっては、請求項１ないし８の何れかに記載のミキサのパラメータ設定方法を処理装置に実行させることを特徴とする。
【発明の効果】
【０００６】
このように、所定のスナップショット・ストア操作を検出すると、第２のパラメータ群をスナップショットデータとして第２の記憶領域に記憶し、所定のスナップショット・リコール操作を検出すると、第２の記憶領域に記憶されているスナップショットデータを読み出し、該読み出されたスナップショットデータに基づいて第１の記憶領域におけるカレント・スナップショットデータを更新する構成によれば、操作子等の機能または表示器等の表示態様を迅速に設定することができる。
【０００７】
さらに、更新後のカレント・スナップショットデータに基づいて信号操作子を駆動する構成によれば、信号操作子の操作位置をカレント・スナップショットデータ・リコール後の機能に応じた位置に自動的に設定できる。
【発明を実施するための最良の形態】
【０００８】
1．実施例のハードウエア構成
次に、本発明の一実施例のデジタルミキサのハードウエア構成を図１を参照し説明する。
図において２は操作パネルであり、各種表示器および操作子等から構成されている。ここで「操作子」には電動フェーダ、ロータリーエンコーダ、キーなどの種類がある。オペレータ（操作者）によって電動フェーダが操作されると、その操作状態がバス７を介して出力される。ロータリーエンコーダおよびキーについても同様である。また、デジタルミキサにはパーソナルコンピュータ用のマウスおよびキーボードも接続することができる。これらマウスおよびキーボードも操作パネル２に含まれることとする。
【０００９】
さらに、電動フェーダは、バス７を介して操作コマンドが供給されると、その操作位置が自動設定されるように構成されている。一方、キーあるいはロータリーエンコーダは物理的に駆動されることはない。但し、各キーにはＬＥＤが内蔵されており、そのＬＥＤのオンオフによって、当該キーに係る操作内容のオンオフ状態を表示している。また、各ロータリーエンコーダの近辺には、当該ロータリーエンコーダの操作量を表示する表示器が設けられている。そして、キーに内蔵されたＬＥＤの点滅状態はバス７を介して自動的に設定される場合もある。
【００１０】
また、ロータリーエンコーダに対応する表示器には、複数のＬＥＤをロータリーエンコーダの周囲に環状に配列したもの（例えば図７のロータリーエンコーダ３１２）、または、ロータリーエンコーダ近辺に設けられた８セグメントＬＥＤ（同図のロータリーエンコーダ３２６に対する表示器３２４）などがある。前者においては、複数のＬＥＤのうち操作量に対応するものが点灯状態にされ、後者においては表示器に数値が表示されるから、何れの場合においても、これら表示器によって各ロータリーエンコーダに係る操作量を自動的に表示することができる。なお、操作パネル２の詳細構成については後述する。
【００１１】
図１に戻り、４は波形Ｉ／Ｏ部であり、アナログ音声信号またはデジタル音声信号の入出力を行う。本実施例においては、各種音声信号のミキシング処理・効果処理等は全てデジタル処理により実行される。しかし、外部から入力される音声信号および外部に出力すべき音声信号はアナログ信号であることが多い。このため、波形Ｉ／Ｏ部４には、必要に応じてマイクレベルアナログ入力、ラインレベルアナログ入力、デジタル入力、アナログ出力、デジタル出力等、各種機能を有するカードが挿入され、これらカードによって必要な変換処理が実行される。なお、アナログ出力のうち一部は操作者用モニタ装置１６を介して放音される。
【００１２】
次に、６は信号処理部であり、一群のＤＳＰ（デジタル・シグナル・プロセッサ）によって構成されている。信号処理部６は、波形Ｉ／Ｏ部４を介して供給されたデジタル音声信号に対してミキシング処理や効果処理を施し、その結果を波形Ｉ／Ｏ部４に出力する。８はその他Ｉ／Ｏ部であり、各種の外部機器との間でタイムコードその他の情報を入出力する。なお、本実施例においては、その他Ｉ／Ｏ部８を介して外部機器の遠隔操作を行うことができる。１０はＣＰＵであり、後述する制御プログラムに基づいて、バス７を介して各部を制御する。１２はフラッシュメモリであり、その内部のプログラム領域１２ａには上記制御プログラムが記憶されている。１４はＲＡＭであり、ＣＰＵ１０のワークメモリとして使用される。
【００１３】
ところで、デジタルミキサの時々刻々の設定状態を「カレントデータ」と呼び、その内容はＲＡＭ１４内のカレント領域１４ａに記憶されている。さらに、カレントデータは、音声信号に直接的に変化を与えるパラメータ群である「カレント・シーンデータ」と、音声信号を直接的には変化させず、パネル上の各種操作子の機能または表示器の表示態様を規定するパラメータ群である「カレント・スナップショットデータ」とから構成されている。本実施例のデジタルミキサにおいては、カレント・シーンデータの内容を「シーンデータ」としてフラッシュメモリ１２内のシーン領域１２ｂまたは他の記憶装置に格納することができる。そして、シーン領域１２ｂには複数種類のシーンデータを記憶することができる。同様に、カレント・スナップショットデータの内容は、「スナップショットデータ」として、フラッシュメモリ１２内のスナップショット領域１２ｃに格納することができ、スナップショット領域１２ｃには複数のスナップショットデータを記憶することができる。
【００１４】
2．実施例のミキシングアルゴリズム構成
次に、信号処理部６等において実現されるアルゴリズムの内容を図３を参照し説明する。
図において２２はアナログ入力部であり、マイクレベルまたはラインレベルのアナログ音声信号を受信すると、これをデジタル音声信号に変換し、信号処理部６に供給する。２４はデジタル入力部であり、デジタル音声信号を受信すると、これを信号処理部６内部のフォーマットに変換する。４４はアナログ出力部であり、信号処理部６から供給されたデジタル音声信号をアナログ音声信号に変換し外部に出力する。４６はデジタル出力部であり、信号処理部６から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。
【００１５】
以上述べた構成は、信号処理部６とは別体のハードウエアである波形Ｉ／Ｏ部４およびここに介挿される各種カードにより実現されているが、上記以外の構成は信号処理部６において動作するプログラムによって実現されている。３０は入力チャンネル調整部であり、操作パネル２上の電動フェーダおよび操作子の操作に基づいて、最大「４８」チャンネルの入力チャンネルに対して音量・音質等の調整を行う。２９はステレオ入力チャンネル調整部であり、最大４チャンネルのステレオ入力チャンネルに対して音量・音質等の調整を行う。なお、「１」系統のステレオの音声信号は左右「２」系統の音声信号から構成されていることとする。
【００１６】
３１はエフェクトリターン部であり、「４」チャンネルの音声信号に対して音量・音質等の調整を行う。なお、エフェクトリターン部３１は、主としてエフェクト処理の施された音声信号に割り当てられる。２８は入力パッチ部であり、入力部２２，２４等の複数の入力ポートから供給されたデジタル音声信号を、ステレオ入力チャンネル調整部２９、入力チャンネル調整部３０、またはエフェクトリターン部３１の任意の入力チャンネルに割り当てる。２６は内蔵エフェクタであり、最大８チャンネルの音声信号に対してエフェクト処理を施し、その結果を入力パッチ部２８を介してエフェクトリターン部３１等に供給する。
【００１７】
３２はＭＩＸバス群であり、「２４」系統のＭＩＸバスから構成されている。各ＭＩＸバスにおいては、各入力チャンネル、各ステレオ入力チャンネルおよび各エフェクトリターン（以下、「入力チャンネル等」という）のデジタル音声信号のうち当該ＭＩＸバスに供給されたものがミキシングされる。各入力チャンネル等においては、音声信号をＭＩＸバスに供給するか否かを各ＭＩＸバス毎に設定することができ、供給する場合には各ＭＩＸバスに対するセンドレベルも系統毎に独立して設定することができる。
【００１８】
３３はステレオバス群であり、「２」系統のステレオバスから構成されている。ステレオバスの構成は上記ＭＩＸバスと同様である。３５はステレオ出力チャンネル部であり、これらステレオバスにおけるミキシング結果のレベル調節および音質調節を行なう。３６はＭＩＸ出力チャンネル部であり、上記各ＭＩＸバスにおけるミキシング結果のレベル調節および音質調節を行なう。３７はＭＡＴＲＩＸ出力チャンネル部であり、ステレオ出力チャンネル部３５およびＭＩＸ出力チャンネル部３６の出力信号をさらにミキシングして出力する。４２は出力パッチ部であり、ステレオ出力チャンネル部３５、ＭＩＸ出力チャンネル部３６およびＭＡＴＲＩＸ出力チャンネル部３７の出力信号を、各出力部４４，４６または上記内蔵エフェクタ２６の任意のチャンネルに割り当てる。
【００１９】
3．操作パネル２の構成
次に、操作パネル２の全体構成を図２を参照し説明する。図において１００はバス選択部であり、「２４」のＭＩＸバスのうち何れかを択一的に選択する操作子等が設けられている。２００はバス操作子部であり、バス選択部１００において選択されたＭＩＸバスに対する各入力チャンネルからのセンドレベルおよびＭＩＸ出力チャンネル部３６内の音量調整を行う操作子等から構成されている。また、３００は選択チャンネル制御部であり、選択された一の入出力チャンネルについて、リミッタ処理、コンプレッサ処理、イコライザ処理等、音質調整の詳細設定を行う操作子等から構成されている。
【００２０】
５００は入力チャンネルストリップ部であり、入力チャンネルの音量調整を行う複数のフェーダ、その他操作子等から構成されている。６００は割当チャンネルストリップ部であり、フェーダ等の操作子が設けられ、入力チャンネル等の音量調節、ＭＩＸ出力チャンネル等の音量調節またはＤＣＡグループの音量調節（詳細は後述する）等、割り当てられた機能に応じた動作を行う。７１０はレベルメータ部であり、入出力チャンネルの信号レベルを表示する。７２０は表示器（カラーＬＣＤディスプレイ）であり、操作者によって選択された各種設定画面等を表示する。７３０はシーン選択部であり、カレント領域１４ａ内のカレント・シーンデータをシーン領域１２ｂに転送し、あるいは既にシーン領域１２ｂ記憶されたシーンデータをカレント領域１４ａに再現する等の操作を行うものである。
【００２１】
次に、７５０は画面選択部であり、表示器７２０に表示すべき画面制御を選択する。例えば、オペレータが選択チャンネル制御部３００においてコンプレッサ処理の設定を行うのであればコンプレッサの特性画面に、またイコライザ処理を行うのであればイコライザの特性画面に、表示器７２０の表示内容を任意に設定することができる。７６０はユーザ定義部であり、ユーザが自由に機能を定義できる複数のキーから構成されている。７７０は画面制御部であり、表示器７２０上に表示されたカーソルを移動するカーソルキー、ポインティングデバイス、データ入力用のロータリーエンコーダ、エンターキー等によって構成されている。７８０はその他制御部であり、上述した以外の各種操作子等が設けられている。
【００２２】
3．1．バス選択部１００
以下、操作パネル２上の主要部分について詳述するが、まずバス選択部１００の詳細構成を図５を参照し説明する。
図５において１０９−１〜１０９−２４はＭＩＸバス選択キーであり、「２４」系統のＭＩＸバスに対応して「２４」個設けられている。これらＭＩＸバス選択キー１０９−１〜１０９−２４は、入力チャンネルストリップ部５００内に設けられたロータリーエンコーダ５１４およびＯＮキー５１２等において操作対象になるＭＩＸバス（以下「操作対象ＭＩＸバス」という）を択一的に選択する。すなわち、操作対象ＭＩＸバスではない、ｋ番目のＭＩＸバスに対応するＭＩＸバス選択キー１０９−ｋの操作（オン操作）に応じて、当該ＭＩＸバス選択キー１０９−ｋが点灯されるとともに、ｋ番目のＭＩＸバスが操作対象ＭＩＸバスとして選択されることになる。
【００２３】
従って、複数のＭＩＸバス選択キーが順次オン操作された場合は、最後にオン操作されたＭＩＸバス選択キー１０９−ｋに対応するＭＩＸバスのみが操作対象ＭＩＸバスになる。また、既に操作対象ＭＩＸバスに選択されているＭＩＸバスに対応するＭＩＸバス選択キー１０９−ｋの操作（オフ操作）に応じて、当該ＭＩＸバス選択キー１０９−ｋは消灯され、操作対象ＭＩＸバスが存在しない状態（非選択状態）になる。１０４はＬＥＤ表示器であり、操作対象ＭＩＸバスの番号（「１」〜「２４」）または非選択状態を示す文字列「−−」等を表示する。
【００２４】
ところで、本実施例においては入力チャンネルストリップ部５００に対して、「ＭＩＸＳＥＮＤモード」、「ＧＡＩＮ／ＡＴＴモード」、「ＡＬＴ・ＬＡＹＥＲモード」または「ＰＡＮモード」のうち何れかの動作モード（主動作モード）を設定することができる。上述したＭＩＸバス選択キー１０９−１〜１０９−２４の何れかが押下されると、入力チャンネルストリップ部５００の主動作モードは「ＭＩＸＳＥＮＤモード」に設定される。１０５はＧＡＩＮ／ＡＴＴキー、１０７はＡＬＴ・ＬＡＹＥＲキー、１０８はＰＡＮキーであり、これらは上記動作モードをそれぞれ「ＧＡＩＮ／ＡＴＴモード」、「ＡＬＴ・ＬＡＹＥＲモード」および「ＰＡＮモード」に設定するものである。
【００２５】
さらに、主動作モードが「ＭＩＸＳＥＮＤモード」または「ＡＬＴ・ＬＡＹＥＲモード」であるときには、「ＦＬＩＰモード」という他の動作モードのオン／オフ状態を指定することができる。１０２はＦＬＩＰキーであり、主動作モードが「ＭＩＸＳＥＮＤモード」または「ＡＬＴ・ＬＡＹＥＲモード」であるとき、ＦＬＩＰモードのオン／オフ状態をトグルでトグルで切り換える。さらに、これらのキーにはＬＥＤが内蔵されており、対応する動作モードがオン状態である場合には該ＬＥＤが点灯される。
【００２６】
上述したＭＩＸバス選択キー１０９−１〜１０９−２４の選択状態、各キー１０２，１０５，１０７，１０８に対応する動作モードのオン／オフ状態は、音声信号に対して直接的に影響を与えるものではなく、入力チャンネルストリップ部５００内の操作子の機能等を選択するものであるから、カレント・スナップショットデータとしてカレント領域１４ａに記憶される。
【００２７】
3．2．入力チャンネルストリップ部５００
次に、入力チャンネルストリップ部５００の詳細構成を図９を参照し説明する。入力チャンネルストリップ部５００には、「２４」個のチャンネルストリップ５１０−１〜５１０−２４が設けられている。上述したように入力チャンネル数は「４８」であるが、入力チャンネルは「２４」チャンネル毎に「２」レイヤに分割されている。そして、何れかのレイヤが選択されると、選択されたレイヤに属する入力チャンネルが該チャンネルストリップ５１０−１〜５１０−２４に割り当てられ、音量等の調節が可能になる。以下、個々のチャンネルストリップに割り当てられた入力チャンネルを「割当入力チャンネル」と呼ぶ。各チャンネルストリップ５１０−１〜５１０−２４は同様の構成を有しているため、以下チャンネルストリップ５１０−１を例として詳細構成を説明する。
【００２８】
チャンネルストリップ５１０−１の内部において、５１４はロータリーエンコーダであり、上述した動作モードに基づいて、以下のように機能する。まず、ＦＬＩＰモードが「オフ状態」であるとき、ロータリーエンコーダ５１４は、「ＭＩＸＳＥＮＤモード」においては操作対象ＭＩＸバスへのセンドレベルを設定する操作子になる。また、ロータリーエンコーダ５１４は、「ＧＡＩＮ／ＡＴＴモード」においては、入力チャンネル調整部３０の各チャンネルの入力部分におけるヘッドアンプのゲインまたはアッテネータの減衰量を設定する操作子になり、「ＡＬＴ・ＬＡＹＥＲモード」においては、選択されていないレイヤに属するチャンネル（以下、裏チャンネルという）のフェーダ量を設定する操作子になる。
【００２９】
例えば、入力チャンネルストリップ部５００に対して「第１〜第２４入力チャンネル」のレイヤが選択されていたとき、チャンネルストリップ５１０−１の割当入力チャンネルは第１入力チャンネルである。そして、選択されていない側の「第２５〜第４８入力チャンネル」のレイヤにおいては、チャンネルストリップ５１０−１は第２５入力チャンネルに対応する。すなわち、この第２５入力チャンネルが裏チャンネルであり、ＡＬＴ・ＬＡＹＥＲモードにおいては、ロータリーエンコーダ５１４は、第２５入力チャンネルのフェーダレベルを設定する操作子になる。なお、ＦＬＩＰモードがオン状態であるときのロータリーエンコーダ５１４の機能については後述する。
【００３０】
５１２はＯＮキーであり、動作モードに基づいて以下のように機能する。すなわち、ＯＮキー５１２は、ＭＩＸＳＥＮＤモードにおいてＦＬＩＰモードがオフ状態であればは操作対象ＭＩＸバスへのセンドのオン／オフ状態を切り換えるキーになり、ＦＬＩＰモードがオン状態であれば割当入力チャンネル自体のオン／オフ状態を切り換えるキーになる。なお、割当入力チャンネル自体がオフ状態になると、当該割当入力チャンネルから何れのＭＩＸバスにも音声信号が出力されなくなる。ＯＮキー５１２にはＬＥＤが内蔵され、当該ＬＥＤは、何れのモードにおいても、対応する状態がオンになると点灯し、オフになると消灯する。
【００３１】
５１６はＳＥＬキーであり、選択チャンネル制御部３００およびバス操作子部２００（ミックスセンドモード）等における操作対象となるチャンネル（以下、「選択チャンネル」という）を、割当入力チャンネルに設定することを指示するキーである。ここで、ＳＥＬキー５１６は全チャンネルストリップ５１０−１〜５１０−２４に設けられているが、そのうち一のＳＥＬキーのみを択一的にオン状態に設定することができる。従って、何れかのチャンネルストリップにおいてＳＥＬキー５１６が押下されてオン状態に設定されると、他のチャンネルストリップのＳＥＬキー５１６は強制的にオフ状態に設定される。
【００３２】
５１８はディスプレイであり、割当入力チャンネルのチャンネル名（最大４文字）を表示する。５２０はＯＮキーであり、動作モードに基づいて以下のように機能する。すなわち、ＯＮキー５２０は、ＦＬＩＰモードにおいては、操作対象ＭＩＸバスへのセンドのオン／オフ状態を切り換えるキーになり、ＦＬＩＰモード以外の動作モードにおいては、当該割当入力チャンネル自体のオン／オフ状態を切り換えるキーになる。なお、ＯＮキー５２０においても、対応するオン／オフ状態に応じて点灯／消灯するＬＥＤが設けられている。
【００３３】
５２４は電動フェーダであり、ＦＬＩＰモードがオフ状態であれば、対応する入力チャンネルのフェーダレベルを設定する操作子になる。５２６はＣＵＥキーであり、割当入力チャンネルのＣＵＥのオン／オフ状態を切り換える。ＣＵＥがオン状態になると、割当入力チャンネルの音声信号が操作者用モニタ装置１６に供給される。
【００３４】
ここで、ＦＬＩＰモードがオン状態であるときの、ロータリーエンコーダ５１４および電動フェーダ５２４の機能について説明しておく。まず、主動作モードが「ＭＩＸＳＥＮＤモード」であれば、ロータリーエンコーダ５１４は、割当入力チャンネルのフェーダレベルを設定する操作子になり、電動フェーダ５２４は操作対象ＭＩＸバスへのセンドレベルを設定する操作子になる。すなわち、ＦＬＩＰモードがオフ状態であるときと比較して、ロータリーエンコーダ５１４および電動フェーダ５２４の機能が入れ替わることになる。
【００３５】
また、主動作モードが「ＡＬＴ・ＬＡＹＥＲモード」であってＦＬＩＰモードがオン状態になると、ロータリーエンコーダ５１４は、裏チャンネル（上記例では第２５入力チャンネル）の操作対象ＭＩＸバスへのセンドレベルを設定する操作子になり、電動フェーダ５２４は割当入力チャンネルの操作対象ＭＩＸバスへのセンドレベルを設定する操作子になる。
【００３６】
上述した各種設定内容のうち、各入力チャンネル等のフェーダレベル、各入力チャンネル等から各ＭＩＸバス等へのセンドレベル、センドのオン／オフ状態、各入力チャンネル等のオン／オフ状態、およびＧＡＩＮ／ＡＴＴの設定量等のパラメータは、音声信号に対して直接的に影響を及ぼすパラメータであるため、カレント領域１４ａ内にカレント・シーンデータとして記憶される。一方、主動作モード、ＦＬＩＰモード等は、音声信号に対して直接的に影響を及ぼすものではなく、例えば「フェーダレベルを変更機能は電動フェーダ５２４またはロータリーエンコーダ５１４の何れに割り当てられているか、フェーダレベルは両者のうち何れの操作位置によって表示されるか」等の機能または表示態様を設定するものであるから、上述したようにスナップショットデータとしてカレント領域１４ａ内に記憶される。
【００３７】
3．3．割当チャンネルストリップ部６００
次に、割当チャンネルストリップ部６００の詳細構成を図１０を参照し説明する。
図において６３０−１〜６３０−８は「８」個のチャンネルストリップであり、各チャンネルストリップは同様の構成を有している。これらチャンネルストリップには、様々な機能を割り当てることが可能である。各チャンネルストリップ６３０−１〜６３０−８に対して一対一に機能を割り当てた状態を「１フェーダモード」といい、これらチャンネルストリップには合計「７フェーダモード」の機能を割り当てることができる。６１０はフェーダモード選択部であり、その内部に設けられたキー６１２〜６２２により、何れかのフェーダモードを択一的に選択する。なお、キー６１２〜６２２は、択一的にオン状態に設定される。
【００３８】
各チャンネルストリップに割り当てられる機能（動作モード）は、入力チャンネルの音量調節（入力チャンネルモード）、ＭＩＸ出力チャンネルの音量調節（ＭＩＸ出力チャンネルモード）、エフェクトリターン部３１（図２参照）のゲイン調節（エフェクタモード）、およびＤＣＡレベルの調節（ＤＣＡモード）等である。まず、入力チャンネルの音量調節は、上述した入力チャンネルストリップ部５００において実行可能であるが、チャンネルストリップ６３０−１〜６３０−８に入力チャンネルを割り当てることにより、選択されていないレイヤに属する入力チャンネルに対してもフェーダによる音量調節が可能になる。
【００３９】
また、バス操作子部２００内にはロータリーエンコーダが設けられており（詳細は後述する）、これによって各ＭＩＸ出力チャンネルの音量調節を行うことができるが、特に操作頻度の高いＭＩＸ出力チャンネル等を何れかのチャンネルストリップに割り当てることにより、当該ＭＩＸ出力チャンネルの操作性を高めることができる。次に、「ＤＣＡ（Ditigal Controlled Amplifier または Ditigal Controlled Attenuator 」について説明しておく。ＤＣＡとは、複数の入力チャンネル等に対して、各入力チャンネル等のフェーダとは別の共通のフェーダ（ＤＣＡフェーダ）を割り当て、ＤＣＡフェーダによって設定されたゲインを、各入力チャンネル等のフェーダによって設定されたゲインに乗算し、これによって該複数の入力チャンネル等のゲインを決定することをいう。ＤＣＡモードは、主として、ピアノ、ドラムなどの大型の楽器や、例えばオーケストラの一部のパートの音量制御に用いられる。
【００４０】
一般的にピアノ等、大型の楽器の演奏音は複数本のマイクによって集音される。これら複数のマイクはバランス調節を行うために各々個別の入力チャンネル等に割り当てられる。そして、これら入力チャンネル等が一のＤＣＡフェーダに割り当てられるのである。これにより、個々のマイクから集音された音声信号相互間のバランスは各入力チャンネル等のフェーダによって調節され、楽器全体としての音量はＤＣＡフェーダによって調節されるのである。
【００４１】
従って、何れかのチャンネルストリップ６３０−１〜６３０−８の機能がＤＣＡに割り当てられると、当該ＤＣＡグループに属する入力チャンネル等に対して設定されるフェーダレベルは、該入力チャンネル等に固有のフェーダの操作量と、ＤＣＡフェーダの操作量（ＤＣＡゲイン）との乗算結果に設定されることになる。
【００４２】
次に、チャンネルストリップ６３０−１の内部において、６３１はディスプレイであり、該チャンネルストリップに割り当てられたチャンネル名（最大４文字）を表示する。６３２はＤＣＡ＿ＭＵＴＥキーであり、動作モードがＤＣＡモードである場合にのみ機能する。すなわち、ＤＣＡモードにおいてＤＣＡ＿ＭＵＴＥキー６３２がオン状態に設定されると、そのＤＣＡグループに含まれる入出力チャンネルの信号レベルが全て「０」に設定される。
【００４３】
６３４は電動フェーダであり、チャンネルストリップに割り当てられた機能に応じて、ＤＣＡレベル、入出力チャンネルレベル等を調節する。６３６はＣＵＥキーであり、ＤＣＡモード以外の動作モードにおいては、対応する入出力チャンネル等の出力信号の操作者用モニタ装置１６への供給をオン／オフ制御するキーになる。また、ＣＵＥキー６３６は、ＤＣＡモードにおいては、当該ＤＣＡグループに属する全ての入力チャンネル等に係るＣＵＥを同時にオン／オフ制御するキーになる。なお、割当チャンネルストリップ部６００に設けられている他のチャンネルストリップ６３０−２〜６３０−８も、チャンネルストリップ６３０−１と同様に構成されている。
【００４４】
ここで、各ＤＣＡゲインは、音量に対して直接的に影響を与えるから、カレント・シーンデータに含まれる。一方、キー６１２〜６２２によって選択されるフェーダモードは、各ＤＣＡフェーダの機能を規定するものであるからカレント・スナップショットデータに含まれる。
【００４５】
3．4．選択チャンネル制御部３００
次に、図７，図８を参照し、選択チャンネル制御部３００の概要について説明する。まず、図７において３１０はアッテネータ部であり、選択チャンネルにおけるアッテネーション、位相切換、およびインサーションエフェクトの挿入等を行う。３２０はノイズゲート部であり、該選択チャンネルのノイズゲートの設定を行う。３４０はレベルメータ部であり、選択チャンネルの音声信号レベルを表示する。
【００４６】
３５０はチャンネルセレクト部であり、選択チャンネルの指定を行う。なお、選択チャンネルは入力チャンネルストリップ部５００に設けられたＳＥＬキー５１６等によっても指定可能であるが、このチャンネルセレクト部３５０によっても指定可能になっている。チャンネルセレクト部３５０の内部において表示器３５２は選択チャンネルのチャンネル番号を表示する。３５４はＩＮＣキーであり、選択チャンネルの番号を「１」だけ増加させる。また、３５６はＤＥＣキーであり、選択チャンネルの番号を「１」だけ減少させる。
【００４７】
３６４はＣＯＰＹキーであり、操作されると選択チャンネル制御部３００の設定内容をコピーバッファ（ＲＡＭ１４内の所定領域）にコピーする。また、３６８はＰＡＳＴＥキーであり、コピーバッファに記憶されている設定内容を選択チャンネルの設定内容として選択チャンネル制御部３００に反映させる。３７０はグループ設定部であり、選択チャンネルをＤＣＡグループ等に加入させ、あるいは選択チャンネルをＤＣＡグループ等から除外する等の操作を行う。３８０はディレイ部であり、音声信号の遅延特性の設定を行う。
【００４８】
次に、図８において４００はコンプレッサ部であり、選択チャンネルの内蔵コンプレッサの設定を行う。４３０はイコライザ部であり、選択チャンネルの周波数特性を設定する。ここで、ロータリーエンコーダ４３８は高音部（ＨＩＧＨ）の中心周波数を設定するものであり、設定された周波数は表示器４３４に表示される。また、ロータリーエンコーダ４３７は高音（ＨＩＧＨ）の中心周波数におけるゲインを、ロータリーエンコーダ４３２はＱ値を、各々調節するものである。これらの操作量はロータリーエンコーダの周囲に環状に配列されたＬＥＤによって表示される。また、高中音部（ＨＩＧＨ  ＭＩＤ）、低中音部（ＬＯＷ  ＭＩＤ）および低音部（ＬＯＷ）に対しても同様の操作子および表示器が設けられている。４８０はハイパスフィルタ設定部であり、音声信号に適用されるハイパスフィルタの設定を行う。
【００４９】
上述した各パラメータのうち、チャンネルセレクト部３５０において設定される「選択チャンネル」はカレント・スナップショットデータとしてカレント領域１４ａに記憶される。また、ノイズゲート部３２０、グループ設定部３７０、コンプレッサ部４００およびイコライザ部４３０の設定内容はカレント・シーンデータとして記憶される。
【００５０】
3．5．バス操作子部２００
次に、バス操作子部２００の詳細構成を図６を参照し説明する。バス操作子部２００においては、「ミックスセンドモード」および「ミックスマスタモード」の動作モードが選択可能である。ここで、ミックスセンドモードとは、何れかの入力チャンネル等が選択チャンネルである場合に、該入力チャンネル等から複数のＭＩＸバスに供給する信号レベル（センドレベル）を制御する動作モードである。例えば、入力チャンネルストリップ部５００のＳＥＬキー５１６によって第１入力チャンネルが選択されたのであれば、当該入力チャンネルから「２４」のＭＩＸバスに対する各センドレベルがバス操作子部２００において調節されることになる。
【００５１】
また、ミックスマスタモードとは、ＭＩＸ出力チャンネル部３６の各チャンネルにおける音量レベル等を調節するモードである。なお、何れかの出力チャンネルが選択チャンネルである場合には、動作モードとしてミックスマスタモードのみが選択可能になり、ミックスセンドモードは選択できない。また、ミックスセンドモードが選択された状態で、選択チャンネルが何れかのＭＩＸ出力チャンネルに変更された場合は、ミックスセンドモード、ミックスマスタモードの何れも選択されていない動作モードになり、バス操作子部２００における操作は無効にされる。
【００５２】
２０２はミックスセンドキー、２０４はミックスマスタキーであり各々押下される毎に動作モードを「ミックスセンドモード」または「ミックスマスタモード」に切り換えるとともに、対応する動作モードが選択されている際には内部のＬＥＤが点灯状態になる。２１０−１〜２１０−２４はバス制御部であり、何れの動作モードにおいても、これらは「２４」本のＭＩＸバスに各々対応する。バス制御部２１０−１の内部において、２１６はＯＮキー、２１８はロータリーエンコーダ、２２４はＣＵＥキー、２２２はＳＥＬキーである。なお、他のバス制御部２１０−２〜２１０−２４においても、同様の操作子が設けられている。これら操作子の機能について、以下動作モード毎に詳述する。
【００５３】
3．5．1．ミックスセンドモード
まず、「ミックスセンドモード」においては、バス制御部２１０−ｎ（但しｎ＝１〜２４）は第ｎ番目のＭＩＸバスに対応付けられ、バス制御部２１０−ｎは、選択チャンネルである第ｍ入力チャンネルから第ｎ番目のＭＩＸバスへの信号供給に係る制御を行う操作子群になる。本動作モードにおいてＯＮキー２１６は、第ｍ入力チャンネルから第ｎ番目のＭＩＸバスへの信号供給のオン／オフ状態をトグルで切り換えるキーになる。
【００５４】
また、ロータリーエンコーダ２１８は、入力チャンネル調整部３０の第ｍ入力チャンネルから第ｎ番目のＭＩＸバスへのセンドレベルを調節する操作子になる。また、本モードにおいてＣＵＥキー２２４は機能せず、該キーは常に消灯状態になる。また、ＳＥＬキー２２２の機能はバス選択部１００内に設けられたＭＩＸバス選択キー１０９−１〜１０９−２４の機能と同一になり、ＳＥＬキー２２２は対応するＭＩＸバス選択キー１０９−ｎと連動して操作対象ＭＩＸバスを選択するキーになる。但し、ＳＥＬキー２２２は常に消灯状態であり、操作対象ＭＩＸバスの表示はＭＩＸバス選択キー１０９−ｎにおいてのみ行われる。
【００５５】
3．5．2．ミックスマスタモード
次に、ミックスマスタモードにおいては、バス制御部２１０−ｋ（但しｋ＝１〜２４）は、ＭＩＸ出力チャンネル部３６内の第ｋ番目のＭＩＸ出力チャンネルに対応付けられ、対応付けられたチャンネルにおける制御を行う操作子群になる。本動作モードにおいてＯＮキー２１６は、第ｋ番目のＭＩＸ出力チャンネル全体のオン／オフ状態をトグルで切り換えるキーになる。また、ロータリーエンコーダ２１８は、該ＭＩＸ出力チャンネルの音量レベルを調節する操作子になる。
【００５６】
また、本動作モードにおいて、ＣＵＥキー２２４は、該ＭＩＸ出力チャンネルの音声信号を操作者用モニタ装置１６に供給するか否かをトグルで切り換えるキーになる。また、ＳＥＬキー２２２は、当該ＭＩＸ出力チャンネル部３６−ｋを、選択チャンネル（選択チャンネル制御部３００等における操作対象となるチャンネル）に設定するキーになる。なお、上述したように、何れかのＭＩＸ出力チャンネルが選択チャンネルである場合には、バス操作子部２００の動作モードをミックスセンドモードに設定することはできない。
【００５７】
上述した各パラメータのうち、バス操作子部２００の動作モード（ミックスセンド／ミックスマスタモード）および選択チャンネル等はカレント・スナップショットデータとしてカレント領域１４ａに記憶される。一方、ミックスセンドモードにおいて設定されるセンドレベルおよび信号供給のオン／オフ状態、ミックスマスタモードにおいて設定されるＭＩＸ出力チャンネル全体のオン／オフ状態およびセンドレベルはカレント・シーンデータとして記憶される。
【００５８】
3．6．レベルメータ部７１０
次に、レベルメータ部７１０の詳細構成を図４を参照し説明する。図４において７１１−１〜７１１−２４は「２４」個のレベルメータ、７１２−１〜７１２−８は「８」個のレベルメータであり、割り当てられた音声信号のレベルを表示する。７１３〜７１５は割当ボタンであり、何れかが選択的にオン状態にされ、これらレベルメータに割り当てる音声信号を指定する。
【００５９】
すなわち、割当ボタン７１３は、レベルメータ７１１−１〜７１１−２４に対して第１〜第２４入力チャンネルの出力信号を割り当てるとともに、レベルメータ７１２−１〜７１２−８に対して第１〜第４ステレオ入力チャンネル（合計「８」系統）の出力信号を割り当てる。また、割当ボタン７１４は、レベルメータ７１１−１〜７１１−２４に対して第２５〜第４８入力チャンネルの出力信号を割り当てるとともに、レベルメータ７１２−１〜７１２−８に対して第１〜第４ステレオ入力チャンネルの出力信号を割り当てる。また、割当ボタン７１５は、レベルメータ７１１−１〜７１１−２４に対して第１〜第２４ＭＩＸ出力チャンネルの出力信号を割り当てるとともに、レベルメータ７１２−１〜７１２−８に対してＭＡＴＲＩＸ出力チャンネルの出力信号を割り当てる。
【００６０】
７１７−１〜７１７−６はレベルメータであり、これらはステレオ出力チャンネルおよび各種ＣＵＥキーによって選択された音声信号のレベルを表示する。これらレベルメータの機能は固定されている。７１６はピークホールド・ボタンであり、上述した全レベルメータのピークホールド（ピーク時のレベル表示を一定時間継続すること）のオン／オフ状態をトグルで切り替える。上述したボタン７１３〜７１６による設定内容は、全てレベルメータの表示態様を設定するものであるから、全てがカレント・スナップショットデータとしてカレント領域１４ａに記憶されることになる。
【００６１】
3．7．シーン選択部７３０
次に、シーン選択部７３０の詳細構成を図１１を参照し説明する。図において７３２はシーンナンバ表示部であり、リコールまたはストアの対象になるシーンデータのシーンナンバを表示する。なお、「シーンナンバ」は、個々のシーンデータに対して付与されたユニークな番号である。７３７はＵＰボタン、７３８はＤＯＷＮボタンであり、表示されたシーンナンバを増減する。７３５はストアボタンであり、表示されたシーンナンバに係るシーンデータとして、カレント・シーンデータをシーン領域１２ｂにストアする。７３６はリコールボタンであり、表示されたシーンナンバに係るシーンデータを、カレント・シーンデータとしてカレント領域１４ａにリコール（再現）する。なお、シーンリコールおよびシーンストア動作の詳細は後述する。
【００６２】
3．8．ユーザ定義部７６０
次に、ユーザ定義部７６０の詳細構成を図１２を参照し説明する。図において７６２−１〜７６２−２４はユーザ定義ボタンであり、所定の複数の機能の中から所望の機能を割り当てることができるようになっている。そして、これらボタンにスナップショットデータのストアおよびリコール機能を割り当てることもできる。なお、これらのボタンは、オン操作された後オフ操作されるまでの押下時間に応じて、一のボタンに複数の機能を割り当てることもできる。そこで、本実施例では、一のボタンに一のスナップショットデータを割り当て、押下時間に応じてストアまたはリコール動作を行うこととしている。なお、その詳細については動作とともに後述する。
【００６３】
4．主要な画面構成
4．1．プリファランス画面９００
上述したように、操作者は画面選択部７５０を操作することによって表示器７２０に表示される画面を選択することができる。ここで、選択可能な画面のうち主要なものを説明する。まず、プリファランス画面９００の内容を図１３に示す。図において９０４はパネル・アシスタンス・ボタンであり、周囲に環状に配列されたＬＥＤを伴うロータリーエンコーダ（例えば図９のロータリーエンコーダ５１４）の操作量が所定の基本操作量（例えば、センター位置、０ｄＢ位置など）に一致したときに、該基本操作量に対応するＬＥＤの輝度を通常の輝度（明点灯）よりも明るくするか否かを選択する。
【００６４】
また、９０６はパネル・ブライトネス選択部であり、これら環状に配列されたＬＥＤが、ロータリーエンコーダの操作量に対応しない場合であっても、暗く点灯させるか否か、また点灯させる場合にはその輝度を選択する。これにより、デジタルミキサが暗い場所（例えば客席）に置かれた場合であっても、操作者はロータリーエンコーダの操作量を一見して把握することができる。９０８はＬＣＤブライトネス選択部であり、表示器７２０（カラーＬＣＤディスプレイ）における色テーブルの明るさを選択する。９１０はＬＣＤバックライト選択部であり、表示器７２０のバックライトの明るさを選択する。なお、プリファランス画面９００において設定されるパラメータは、全てカレント・スナップショットデータとしてカレント領域１４ａに記憶される。
【００６５】
4．2．ＧＥＱパラメータ画面９５０
上述した入出力チャンネル等においては、各チャンネルの入力段または出力段の任意のチャンネルにグラフィックイコライザを挿入することができる。そして、画面選択部７５０において所定の操作が検出されると、この挿入されたグラフィックイコライザの特性を設定するＧＥＱパラメータ画面９５０（図１４）が表示器７２０に表示される。
【００６６】
図１４において９５２−１〜９５２−３１は「３１」個のフェーダであり、マウスでドラッグされると、「３１」分割された音声信号の周波数帯域を各々ブーストまたは減衰させる。従って、グラフィックイコライザの特性を設定するためには、原則的にはＧＥＱパラメータ画面９５０上の操作が必要である。しかし、本実施例においては、これら「３１」帯域が「８」または「７」帯域ごとの「４」グループ（グループＡ〜Ｄ）に分割され、何れか一のグループに属する帯域の操作を割当チャンネルストリップ部６００の電動フェーダ（６３４等）に割り当てることができる。
【００６７】
９５４，９５６，９５８，９６０はグループ選択ボタンであり、割当チャンネルストリップ部６００に割り当てるグループを択一的に選択する。また、９６２はグループ・オフボタンであり、割当チャンネルストリップ部６００に対するグループの割り当てを解除する。このＧＥＱパラメータ画面９５０において設定されるパラメータのうち、フェーダ９５２−１〜９５２−３１によって設定された各周波数帯域のブースト／減衰量は音声信号の周波数特性を直接的に操作するものであるからカレント・シーンデータとしてカレント領域１４ａに記憶される。一方、グループ選択ボタン９５４，９５６，９５８，９６０およびグループ・オフボタン９６２のオン／オフ状態は、割当チャンネルストリップ部６００の機能を規定するものであるからカレント・スナップショットデータとして記憶される。
【００６８】
5．実施例の動作
5．1．一般的動作
次に、本実施例のデジタルミキサの動作について説明する。
まず、デジタルミキサにおいて、何れかのフェーダ、ロータリーエンコーダあるいはキー等の操作子の操作イベントが発生すると、その操作内容に応じたルーチンが起動される。特に、一般的な（シーンまたはスナップショットの再現等、特殊な操作イベントを除いた）操作イベントが発生すると、その操作内容に基づいてカレント領域１４ａ内のパラメータが更新される。例えば、電動フェーダあるいはロータリーエンコーダが操作されると、操作後の操作量に対応する制御データ（レベルデータ、周波数データなど）がカレント領域の対応領域に記憶され、キーが操作された場合にはその操作後のオンオフ状態等が記憶されることになる。
【００６９】
ここで、更新されたパラメータがカレント・シーンデータに属するパラメータであれば、ミキシングアルゴリズム（図３）における各種パラメータ、すなわち信号処理部６内に設けられたパラメータ用のレジスタの内容が該カレント・シーンデータに基づいて更新される。次に、更新後のカレント領域の内容に基づいて、操作パネル２上の各種設定が実行される。例えば、キー内部のＬＥＤの点灯／消灯、ロータリーエンコーダの周囲のＬＥＤの点灯／消灯、各種表示器の表示内容の変更、電動フェーダの駆動等が実行される。
【００７０】
5．2．シーンデータのストア／リコール
次に、シーン選択部７３０においてストアボタン７３５またはリコールボタン７３６が押下された場合の処理について説明する。まず、ストアボタン７３５の押下イベントが発生すると、図１６(a)に示すシーンストア・ルーチンが起動される。図において処理がステップＳＰ２２に進むと、カレント領域１４ａから「カレント・シーンデータ」に属するパラメータが読み出される。次に、処理がステップＳＰ２４に進むと、この読み出されたカレント・シーンデータが、シーンナンバ表示部７３２に表示されているナンバのシーンデータとしてシーン領域１２ｂに格納される。
【００７１】
また、リコールボタン７３６の押下イベントが発生すると、図１６(b)に示すシーンリコール・ルーチンが起動される。図において処理がステップＳＰ３２に進むと、シーンナンバ表示部７３２において指定されたシーンデータが、シーン領域１２ｂから読出される。次に、処理がステップＳＰ３４に進むと、読み出されたシーンデータが、カレント領域１４ａ内のカレント・シーンデータに上書きされる。次に処理がステップＳＰ３６に進むと、この上書きされた新たなカレント領域の内容に沿って、信号処理部６に設定される制御値（パラメータ）が更新される。これにより、波形Ｉ／Ｏ部４から出力される音声信号は更新後の制御値に対応したものになる。
【００７２】
5．3．スナップショットデータのストア／リコール
次に、ユーザ定義部７６０において、スナップショットデータ用に割り当てられたユーザ定義ボタンが操作された場合の処理について説明する。割当方法はユーザが任意に設定することができ、例えば「８」種類のスナップショットデータが存在するのであれば、ユーザ定義ボタン７６２−１〜７６２−８に対して第１〜第８スナップショットデータを割り当てるとよい。
【００７３】
これらスナップショットデータに割り当てられたユーザ定義ボタンのうち何れかがオン状態にされ、その後にオフ状態にされると、図１５に示すスナップショットデータ処理ルーチンが起動される。図において処理がステップＳＰ２に進むと、当該ボタンがオンされた後にオフされるまでの押下時間が所定時間を超えているか否かが判定される。ここで「ＹＥＳ」と判定されると、処理はステップＳＰ４に進み、カレント領域１４ａから、カレント・スナップショットデータに属するパラメータが読み出される。次に、処理がステップＳＰ６に進むと、これら読み出されたパラメータが、当該ボタンに対応する番号のスナップショットデータとして、スナップショット領域１２ｃに記録される。
【００７４】
一方、押下時間が上記所定時間以下であった場合には、ステップＳＰ２において「ＮＯ」と判定され、処理はステップＳＰ８に進む。ここでは、押下されたユーザ定義ボタンに割り当てられているスナップショットデータがスナップショット領域１２ｃから読出される。次に、処理がステップＳＰ１０に進むと、読み出されたスナップショットデータ内のパラメータが、カレント領域１４ａの対応箇所に上書きされる。次に、処理がステップＳＰ１２に進むと、更新されたカレント領域１４ａの内容に基づいて、操作パネル２上の各操作子および表示器の設定状態が変更される。
【００７５】
例えば、スナップショットデータのリコール前において操作対象ＭＩＸバスとして第１ＭＩＸバスが選択され、リコール後において操作対象ＭＩＸバスとして第２ＭＩＸバスが選択されたと仮定する。そして、リコール前後の何れにおいてもＦＬＩＰモードがオン状態であったと仮定する。スナップショットデータのリコール前においては、電動フェーダ５２４の操作位置は割当入力チャンネルから第１ＭＩＸバスへのセンドレベルに対応する位置に設定されていたが、スナップショットデータのリコールに伴って、電動フェーダ５２４の操作位置は割当入力チャンネルから第２ＭＩＸバスへのセンドレベルに対応する位置に自動的に駆動されることになる。
【００７６】
また、同様に、スナップショットデータのリコール前後において割当チャンネルストリップ部６００のフェーダモードが変更されると、各入出力チャンネルのフェーダレベルやＤＣＡレベル等に全く変化が無かったとしても、割当チャンネルストリップ部６００の電動フェーダ６３４等が自動的に駆動される。すなわち、これらのフェーダレベルは、更新後のフェーダモードに対応する操作位置に設定される。このように、本実施例においては、カレント・シーンデータに対する変化を生じさせない、スナップショットデータのリコール動作によって、カレント・シーンデータを変化させるフェーダ等（信号操作子）が自動的に駆動される。
【００７７】
6．変形例
本発明は上述した実施例に限定されるものではなく、例えば以下のように種々の変形が可能である。
(1)上記各実施例においては、ＣＰＵ１０上で動作するプログラムによってデジタルミキサを制御したが、このプログラムのみをＣＤ−ＲＯＭ、フレキシブルディスク等の記録媒体に格納して頒布し、あるいは伝送路を通じて頒布することもできる。
【００７８】
(2)上記実施例においては、シーンデータおよびスナップショットデータのリコール操作を別個の操作子によって実行したが、シーンデータとスナップショットデータとをリンクさせておき、シーンリコールの際に対応するスナップショットデータを自動的にリコールするようにしてもよい。
【００７９】
(3)上記実施例においては、カレント・スナップショットデータのストア操作が行われた際にカレント・スナップショットデータに属する全てのパラメータがスナップショットデータとしてスナップショット領域１２ｃに格納された。しかし、カレント・スナップショットデータの中から選択された一部のパラメータのみをスナップショットデータとして記憶するようにしてもよい。また、スナップショットデータをリコールする場合においても、該スナップショットデータに属する全てのパラメータをリコールの対象にするのではなく、選択された一部のパラメータのみをリコールしてカレント・スナップショットデータを更新するようにしてもよい。
【００８０】
(4)上記実施例においては、スナップショットデータに割り当てられたユーザ定義ボタンの押下時間に応じてスナップショットデータのリコール／ストアの動作を切り替えたが、スナップショットデータのリコール／ストアに対して各々別個の操作子を割り当て、押下時間にかかわらず、リコール／ストアのうち割り当てられた動作を実行するようにしてもよい。
(5)また、上記実施例は本発明をデジタルミキサに適用した例について説明したが、本発明はデジタルミキサに限定されるものではなく、アナログ的に音声信号を処理するアナログミキサに適用してもよい。
【図面の簡単な説明】
【００８１】
【図１】本発明の一実施例のデジタルミキサのハードウエアブロック図である。
【図２】デジタルミキサの操作パネル２の平面図である。
【図３】デジタルミキサのミキシングアルゴリズムのブロック図である。
【図４】レベルメータ部７１０の平面図である。
【図５】バス選択部１００の平面図である。
【図６】バス操作子部２００の平面図である。
【図７】選択チャンネル制御部３００の平面図（１／２）である。
【図８】選択チャンネル制御部３００の平面図（２／２）である。
【図９】入力チャンネルストリップ部５００の平面図である。
【図１０】割当チャンネルストリップ部６００の平面図である。
【図１１】シーン選択部７３０の平面図である。
【図１２】ユーザ定義部７６０の平面図である。
【図１３】プリファランス画面９００の内容を示す図である。
【図１４】プリファランス画面９５０の内容を示す図である。
【図１５】スナップショットデータ処理ルーチンのフローチャートである。
【図１６】シーンストア／リコール・ルーチンのフローチャートである。
【符号の説明】
【００８２】
２：操作パネル、４：波形Ｉ／Ｏ部、６：信号処理部、７：バス、８：その他Ｉ／Ｏ部、１０：ＣＰＵ、１２：フラッシュメモリ、１２ａ：プログラム領域、１２ｂ：シーン領域、１２ｃ：スナップショット領域、１４：ＲＡＭ、１４ａ：カレント領域、１６：操作者用モニタ装置、２２：アナログ入力部、２４：デジタル入力部、２６：内蔵エフェクタ、２８：入力パッチ部、２９：ステレオ入力チャンネル調整部、３０：入力チャンネル調整部、３１：エフェクトリターン部、３２：ＭＩＸバス群、３３：ステレオバス群、３４：ＣＵＥバス、３５：ステレオ出力チャンネル部、３６：ＭＩＸ出力チャンネル部、３７：ＭＡＴＲＩＸ出力チャンネル部、３８：モニタ用セレクタ、４０：モニタ用ミキサ、４２：出力パッチ部、４４：アナログ出力部、４６：デジタル出力部、１００：バス選択部、２００：バス操作子部、３００：選択チャンネル制御部、４００：コンプレッサ部、５００：入力チャンネルストリップ部、６００：割当チャンネルストリップ部、７１０：レベルメータ部、７２０：表示器、７３０：シーン選択部、７５０：画面選択部、７６０：ユーザ定義部、７７０：画面制御部、７８０：その他制御部、９００：プリファランス画面、９５０：ＧＥＱパラメータ画面。
【図１】
2005191793.tif 000003
【図２】
2005191793.tif 000004
【図３】
2005191793.tif 000005
【図４】
2005191793.tif 000006
【図５】
2005191793.tif 000007
【図６】
2005191793.tif 000008
【図７】
2005191793.tif 000009
【図８】
2005191793.tif 000010
【図９】
2005191793.tif 000011
【図１０】
2005191793.tif 000012
【図１１】
2005191793.tif 000013
【図１２】
2005191793.tif 000014
【図１３】
2005191793.tif 000015
【図１４】
2005191793.tif 000016
【図１５】
2005191793.tif 000017
【図１６】
2005191793.tif 000018